(57)【特許請求の範囲】
【請求項１】
ユニット同士の接合部を跨ぐ下がり間仕切り壁の施工方法において、
接合される両ユニットの双方に、工場等において前記下がり間仕切り壁の芯材の一部をそれぞれ施工しておく第１工程と、
前記ユニットの接合後に、前記下がり間仕切り壁の残りの芯材を施工する第２工程と、
その第２行程の後に、前記芯材上に下がり間仕切り壁用の石膏ボードを貼る第３工程とを行うことを特徴とするユニット住宅の下がり間仕切り壁の施工方法。
【請求項２】
請求項１記載のユニット住宅の下がり間仕切り壁の施工方法において、前記下がり間仕切り壁の前記残りの芯材は、ユニット同士の接合部を跨ぐ形態で施工される芯材であることを特徴とする、ユニット住宅の下がり間仕切り壁の施工方法。
【請求項３】
請求項１又は２記載のユニット住宅の下がり間仕切り壁の施工方法において、前記残りの芯材は、通し芯材としての長さを有することを特徴とする、ユニット住宅の下がり間仕切り壁の施工方法。
【請求項４】
請求項１〜３の何れかに記載のユニット住宅の下がり間仕切り壁の施工方法において、前記残りの芯材は、前記下がり間仕切り壁の最下段に設ける芯材であることを特徴とする、ユニット住宅の下がり間仕切り壁の施工方法。
【請求項５】
請求項１〜４の何れかに記載のユニット住宅の下がり間仕切り壁の施工方法において、前記第１工程の中で、前記残りの芯材を取り付けるための支持材を施工しておくことを特徴とする、ユニット住宅の下がり間仕切り壁の施工方法。
【請求項６】
請求項１〜５の何れかに記載のユニット住宅の下がり間仕切り壁の施工方法において、前記下がり間仕切り壁の一部が床に達する通常間仕切り壁部分を有し、その通常間仕切り壁部分に貼る石膏ボードを前記第１工程の中で施工してあることを特徴とする、ユニット住宅の下がり間仕切り壁の施工方法。
【発明の詳細な説明】
【０００１】
【発明の属する技術分野】
本発明は、建物ユニット同士の接合部を跨ぐ下がり間仕切り壁の施工方法に関する。
【０００２】
【背景の技術】
ユニット工法による住宅では、ユニット同士の接合部（ジョイント部分）が存在する。例えば鉄骨系ユニット住宅では、図２に示すように、四隅に鉄骨柱１を配置したユニット２を使用するため、ユニット２，２同士の接合部３に加えて、ユニットの建て込みに必要な隙間も生じる。従って、この接合部３に相当する領域の内装工事等は一部が現場施工となる。
【０００３】
図３は、ユニット同士の接合部３を跨ぐ構造となる下がり間仕切り壁５の従来の施工例を示す図である。この例では、下がり間仕切り壁５の一部が床に達する通常間仕切り壁部分６を有するもので、施工後は全体として門型構造となる例を示している。
【０００４】
この下がり間仕切り壁５を施工する場合、従来は次のような方法が採用されていた。予め、工場等において下がり間仕切り壁５の芯材５ａ、通常間仕切り壁部分６の芯材６ａを図２に示すように双方のユニット２、２内にそれぞれ施工しておく。さらに、通常間仕切り壁部分６の芯材６ａ上に石膏ボード７を施工しておく。
【０００５】
そして、ユニット２、２同士を現場で接合した後に、双方の下がり間仕切り壁用の芯材５ａ、５ａ上に石膏ボード（図示せず）を貼り付けて固定する。この際、接合部３を跨ぐ長さの石膏ボードを用いて芯材５ａ、５ａ同士を一体化させる。したがって、石膏ボードの現場施工範囲は、図３においてＷで示される範囲となる。ここで、石膏ボードの艤装貼りは斜線で示す範囲となる。
【０００６】
【発明が解決しようとする課題】
このような従来の施工法では、以下のような問題がある。下がり間仕切り壁５の芯材５ａ、５ａを、双方のユニット２，２内に予め工場等にて施工しておくことにより生じる問題である。即ち、下がり間仕切り壁５の芯材５ａ，５ａは、双方のユニット２，２内に個別に施工されるため、ユニット２，２の接合時において、それらの芯材５ａ，５ａ同士が正確に合致せず、位置ずれが生じる問題である。
【０００７】
この位置ずれの問題は、芯材５ａ，５ａの施工精度、芯材５ａ，５ａに使用される木材の経時的な変形、作業者の熟練度等によって左右されやすい。位置ずれが大きくなった場合には、これを現場にて調整する必要があり、現場での施工性が著しく低下することになる。
【０００８】
よって、本発明の課題は、ユニット工法での接合部を跨ぐ下がり間仕切り壁の施工性を向上させることができ、施工後の強度等も充分に確保できる技術を提供することにある。
【０００９】
【課題を解決するための手段】
本発明を、図面を参照して説明すると、ユニット２，２同士の接合部３を跨ぐ下がり間仕切り壁５の施工方法において、接合される両ユニット２，２の双方に、工場等において前記下がり間仕切り壁５の芯材５１、５２の一部の芯材５１をそれぞれ施工しておく第１工程と、前記ユニット２，２の接合後に、前記下がり間仕切り壁５の残りの芯材５２を施工する第２工程と、その第２行程の後に、前記芯材５１，５２上に下がり間仕切り壁用の石膏ボードを貼る第３工程とを行うことを特徴とする。
【００１０】
このような本発明によれば、残りの芯材５２を現場施工とすることで、ユニット２，２接合時に、予め工場等で施工してある艤装済み芯材５１，５１同士に位置ずれが生じた場合でも、この残りの芯材５２にて調整することができる。これにより、ユニット工法における下がり間仕切り壁の施工性を向上させることができる。
【００１１】
上記施工法において、前記下がり間仕切り壁５の前記残りの芯材５２は、ユニット２，２同士の接合部３を跨ぐ形態で施工される長尺の芯材５２であることが望ましい。このようにすれば、艤装済み芯材５１，５１同士の位置合わせ調整がさらに容易になるだけでなく、この長尺の芯材５２により艤装済み芯材５１，５１の一体化を図ることができる。
【００１２】
また、前記残りの芯材５２は、通し芯材としての長さを有することが望ましい。このように通し芯材とした場合、下がり間仕切り壁５の芯材全体の位置合わせ調整をさらに容易にすることができる。
【００１３】
また、前記残りの芯材５２は、前記下がり間仕切り壁５の最下段に設ける芯材であることが望ましい。最下段の芯材は低い位置になるため、現場施工が容易になるからである。
【００１４】
また、前記第１工程の中で、前記残りの芯材５２を取り付けるための支持材５３を施工しておくことが望ましい。そうすれば、残りの芯材５２の現場施工をさらに容易にすることができる。
【００１５】
前記下がり間仕切り壁５の一部が床に達する通常間仕切り壁部分６を有し、その通常間仕切り壁部分６に貼る石膏ボード７を前記第１工程の中で施工してあることも望ましい。このようにすれば、残りの芯材５２の施工以外では、従来と同様の施工法を採用することができるからである。
【００１６】
【発明の実施の形態】
本発明の好適な実施の形態について、図１及び図２を参照して説明する。なお、図１において、従来と基本的に同一の構成要素については、説明の便宜上同一の符号を付してある。
【００１７】
この実施の形態に係る下がり間仕切り壁の施工方法では、以下の第１〜第３の工程を行うことで施工する。
【００１８】
（第１工程）
まず、接合される両ユニット２，２の双方に、工場等において下がり間仕切り壁５の芯材５１及び通常間仕切り壁部分６の芯材６ａ，６ａをそれぞれ施工し、通常間仕切り壁部分６、６の芯材６ａ，６ａ上に石膏ボード７，７をそれぞれ貼り付けておく。その際、下がり間仕切り壁５の芯材５１、５２の一部の芯材５１のみをそれぞれ施工しておく。
【００１９】
ここでは、下がり間仕切り壁５の最下段に設ける芯材のみを残りの芯材５２として残し、それ以外の芯材５１は全て施工する。この残りの芯材５２は長尺の芯材であり、ユニット２，２同士の接合部３を跨ぐ形態で施工される長さを有している。図１に示す例では、通し芯材としての長さを有している。
【００２０】
（第２工程）
次に、図２に示すように、ユニット２，２の接合後に、下がり間仕切り壁５の残りの芯材５２を現場施工する。その前に、残りの芯材５２を取り付けるためのＬ形アングル等からなる支持材５３３，５３を施工しておく。この支持材５３，５３は現場施工でも良いが、工場等で予め施工しておくことが望ましい。
【００２１】
なお、残りの芯材５２は長尺の通し芯材であるため、その両端を支持材５３，５３に対してビス止めあるいはスクリュー釘等を使用して固定する。この際、両ユニット２，２の艤装済み芯材５１、５１を位置合わせしつつ、それらの艤装済み芯材５１、５１と現場施工の芯材５２との釘打ちによる固定も行う。
【００２２】
（第３工程）
このようにして下がり間仕切り壁５の芯材の施工を終えたら、芯材５１，５２上に下がり間仕切り壁用の石膏ボード（図示せず）を貼る工程を行う。
【００２３】
この実施の形態によれば、残りの芯材５２を現場施工とすることで、ユニット２，２接合時に、予め工場等で施工してある艤装済み芯材５１，５１同士に位置ずれが生じた場合でも、この残りの芯材５２にて調整することができる。これにより、ユニット工法における下がり間仕切り壁の施工性を向上させることができる。
【００２４】
また、下がり間仕切り壁５の残りの芯材５２は、ユニット２，２同士の接合部３を跨ぐ形態で施工される長尺の芯材５２とすることで、艤装済み芯材５１，５１同士の位置合わせ調整がさらに容易になるだけでなく、この長尺の芯材５２により艤装済み芯材５１，５１の一体化を図ることができる。
【００２５】
また、残りの芯材５２は、通し芯材としての長さを有するものを用いることによって、下がり間仕切り壁５の芯材全体の位置合わせ調整をさらに容易にすることができる。
【００２６】
なお、上記実施の形態では、本発明を鉄骨ユニット式住宅に適用した例を示したが、木質系ユニット住宅、あるいはアパートやマンション等の集合住宅においても適用することができる。
【００２７】
【発明の効果】
以上のように、本発明に係るユニット住宅の下がり間仕切り壁の施工方法によれば、現場での施工性を格段に向上させることができる。また、ユニット同士の接合部を跨ぐ長尺の芯材を用いて現場施工することで、施工後における芯材の一体化及び石膏ボードと芯材との良好な一体化を図ることができる。
【図面の簡単な説明】
【図１】本発明の実施の形態を示す正面図である。
【図２】本発明の実施の形態を示す平面図である。
【図３】従来の施工例を示す正面図である。
【符号の説明】
１  鋼製柱
２  ユニット（鉄骨ユニット）
３  接合部
５  下がり間仕切り壁
５１  芯材（艤装済み芯材）
５２  残りの芯材（現場施工の芯材）
５３  支持材
６  通常間仕切り壁部分
６ａ  芯材
７  石膏ボード
【図１】
0004580107.tif 000002
【図２】
0004580107.tif 000003
【図３】
0004580107.tif 000004